(57)【要約】【課題】こじり嵌合状態を早期に検知させる。【解決手段】雌コネクタ１０のホルダ１１には、内部にサブコネクタ３０が収容されるとともに下方から抜け止め用のハウジングリテーナ４０が組み付けられている。ホルダ１１の下面にはガイドリブ２４が設けられ、その前端が第１こじり検知部２５とされている。また、ハウジングリテーナ４０の下面には追加リブ４４がガイドリブ２４と一列に並んで設けられ、その前端が第２こじり検知部４５とされている。ホルダ１１が雄ハウジング６１に対しこじり状態で嵌合された際に、フード部６３の開口縁部６３Ａが前側のこじり検知部２５よりも奥側の部分に当接するような角度であった場合には、後側のこじり検知部４５に引っ掛かる。そのため作業者は、確実に引っ掛かり感を得ることができ、両コネクタ１０，６０がこじり嵌合状態であることを早期に検知することができる。【選択図】  図１５
2005026078.tif 000002
【特許請求の範囲】
【請求項１】
相手ハウジングのフード部内に嵌合可能なハウジングを備えたコネクタであって、
前記ハウジングの外周面には、前記ハウジングを前記フード部に対しこじた状態で嵌合させた際に、前記フード部の開口縁部に引っ掛かり可能なこじり検知部が嵌合方向に離間して複数形成されていることを特徴とするコネクタ。
【請求項２】
前記ハウジングは、複数のサブコネクタハウジングを収容可能な収容室を備えたフレーム状をなすとともに、ハウジングの外周面には、前記サブコネクタハウジングを抜け止めするハウジングリテーナを組み付け可能とされており、このハウジングリテーナの外面に前記こじり検知部のうちの少なくとも一部を形成したことを特徴とする請求項１に記載のコネクタ。
【発明の詳細な説明】
【０００１】
【発明の属する技術分野】
本発明は、コネクタに関し、特に相手ハウジングのフード部内に嵌合されるハウジングを備えたコネクタに関する。
【０００２】
【従来の技術】
例えば雌ハウジングを雄ハウジングに設けられたフード部内に嵌合させるようにしたコネクタでは、目視できなくて手探りで嵌合するような場合に、いわゆるこじた状態で嵌合されることがあり得る。そこで、例えば下記の特許文献１に記載されたコネクタでは、図１７（Ａ）に示すように、雌ハウジング１の外周面に嵌合方向に沿ったこじり嵌合防止用のリブ２が形成されており、これにより雌ハウジング１が相手の雄ハウジング３のフード部４内にこじた状態で嵌まり込んで、フード部４内の雄端子金具５に干渉するような事態が防止されている。
【０００３】
【特許文献１】
実開昭６３−１４１５７９号公報
【０００４】
【発明が解決しようとする課題】
上記のコネクタにおいて、雌ハウジング１が雄ハウジング３に対し例えば図１７（Ｂ）に示すような角度でもって嵌合された場合には、雌ハウジング１の前面がフード部４の上側開口縁部に突き当たるのとほぼ同時に、リブ２の前端がフード部４の下側開口縁部に引っ掛かり、嵌合動作が規制される。このため、作業者はその引っ掛かり感を得ることで両ハウジング１，２がこじり状態にあることに気付くことができる。
【０００５】
しかしながら、雌ハウジング１が例えば図１８（Ａ）に示すような角度、即ち、図１７のものより大きなこじり角度（嵌合軸からのずれ角度）で嵌合された場合には、図１８（Ｂ）に示すように、フード部４の開口縁部がリブ２の前端面よりも奥側に当接する。そして、両ハウジング１，２がさらに押し付けられると、図１８（Ｃ）に示すように、雌ハウジング１が角度を変えながら、フード部４の開口縁部がリブ２の下面に摺接して後側へ移動する。この場合、作業者は明確な引っ掛かり感を得ることができないため、こじり状態に気付かないで、雌ハウジング１を無理に押し込もうとしたり、気付く時期が遅れて作業がはかどらないといった事態が起こり得る。
本発明は、上記事情に鑑みてなされたもので、その目的は、こじり嵌合状態を早期に検知させることの可能なコネクタを提供するところにある。
【０００６】
【課題を解決するための手段】
上記の課題を解決するための請求項１の発明に係るコネクタは、相手ハウジングのフード部内に嵌合可能なハウジングを備えたコネクタであって、前記ハウジングの外周面には、前記ハウジングを前記フード部に対しこじた状態で嵌合させた際に、前記フード部の開口縁部に引っ掛かり可能なこじり検知部が嵌合方向に離間して複数形成されているところに特徴を有する。
【０００７】
請求項２の発明は、請求項１に記載のものにおいて、前記ハウジングは、複数のサブコネクタハウジングを収容可能な収容室を備えたフレーム状をなすとともに、ハウジングの外周面には、前記サブコネクタハウジングを抜け止めするハウジングリテーナを組み付け可能とされており、このハウジングリテーナの外面に前記こじり検知部のうちの少なくとも一部を形成したところに特徴を有する。
【０００８】
【発明の作用および効果】
請求項１の発明によれば、ハウジングが相手ハウジングに対しこじり状態で嵌合された際に、フード部の開口縁部が前側のこじり検知部よりも奥側の部分に当接するような角度であった場合には、フード部の開口縁部が後側のこじり検知部に引っ掛かる。そのため、作業者は、確実に引っ掛かり感を得ることができ、両ハウジングがこじり嵌合状態であることを早期に検知することができる。
【０００９】
請求項２の発明によれば、ハウジングリテーナの外面にこじり検知部を設けることで、分割タイプのコネクタにおいても、両ハウジングがこじり嵌合状態であることを確実に検知できる。
【００１０】
【発明の実施の形態】
次に本発明の一実施形態について図１から図１５を参照して説明する。
本実施形態の雌コネクタ１０は、図１に示すように、回路基板（図示せず）に固定された雄コネクタ６０に対して嵌合・離脱可能とされている。なお、以下の説明においては、各コネクタ１０，６０について互いに相手側との嵌合面側を前方とし、上下方向については図１を基準とする。
【００１１】
雌コネクタ１０は、いわゆる分割コネクタであって、雌端子金具３２を収容する複数のサブコネクタハウジング３０（以下、サブコネクタという）と、これらのサブコネクタ３０が収容される枠状のホルダ１１（本発明の「ハウジング」に相当する）と、ホルダ１１に収容されたサブコネクタ３０を一括して抜け止めするハウジングリテーナ４０と、雄コネクタ６０に対する嵌合動作を助勢するためのレバー５０とを備えて構成されている。
【００１２】
ホルダ１１は、合成樹脂材からなり、図２から図５に示すように、前後方向に貫通した横長の枠状をなしている。即ちホルダ１１は、上面壁１２、下面壁１３、及び左右両側面壁１４を有し、この４枚の壁で囲まれた空間のうち、上面壁１２及びこの上面壁１２と平行な天井壁１５との間に区画された横長スリット状をなす空間は、レバー５０を収容するための収容凹部１６とされている。ホルダ１１の内部空間のうち収容凹部１６よりも下方の領域は、天井壁１５と下面壁１３との間に設けられた２枚の仕切壁１７により、左右に並んで３つの収容室１８が構成されており、これらの収容室１８内には、それぞれ対応するサブコネクタ３０が後方から嵌入されるようになっている。下面壁１３には各収容室１８に対応して弾性撓み可能な係止片１９が形成されている。また、ホルダ１１を構成する上記各壁面１２，１３，１４，１５，１７は、前端で一致しているのに対し、上面壁１２，側面壁１４及び天井壁１５の後端は下面壁１３及び仕切壁１７の後端よりも後方に張り出している。さらに、天井壁１５の下面後端には、各収容室１８に対応して規制突起２０が下方へ僅かに突出して形成されている（図１０参照）。この規制突起２０は、前面が緩やかな傾斜面をなし、後面が切り立った面となっている。
【００１３】
ホルダ１１の下面壁１３には、前後方向のほぼ中央に全幅にわたって装着凹部２１が形成されており、この装着凹部２１には、後述のハウジングリテーナ４０が下方から装着されるようになっている。また、装着凹部２１と各収容室１８との間は２枚の連結板２２によって仕切られている。各連結板２２は装着凹部２１の前後に架設され、これによりホルダ１１が補強されている。さらに下面壁１３の底面には、前後方向に沿った４列のガイドリブ２３，２４が幅方向に所定間隔で並んで突設されており、各列のガイドリブ２３，２４はそれぞれ装着凹部２１を挟んで前後一対に分かれて形成されている。このうち幅方向の内側に位置する左右２列のガイドリブ２３の前側部分は、下端へ向かうほど幅広になるアリ状をなしている。また幅方向の外側に位置する左右２列のガイドリブ２４は、ともに側面壁１４から若干内側に引っ込んだ位置に配設されて、下面壁１３に対して段差状をなしている。これらのガイドリブ２３，２４の前端部は、下面壁１３の前端より若干後方に下がった位置に設けられている。
【００１４】
サブコネクタ３０は、各収容室１８に対応して３個設けられている。各サブコネクタ３０は、いずれも合成樹脂からなり、全体として箱形をなしている（図５参照）。サブコネクタ３０内には、前後に開放した複数のキャビティ３１が整列して形成され、各キャビティ３１には後方から雌端子金具３２が挿入されている。また各キャビティ３１の内壁面には、片持ち状のランス３３が形成されており、このランス３３が雌端子金具３２に対して弾性的に係止することで雌端子金具３２が抜け止めされている。サブコネクタ３０の上面には、幅方向のほぼ全域にわたってリテーナ差込孔３４が開口され、ここに上方からターミナルリテーナ３５が嵌入されて収容されるようになっている。
【００１５】
このターミナルリテーナ３５は、サブコネクタ３０に対して、その上端部３５Ａがサブコネクタ３０の上面から所定寸法突出する仮係止位置と、上端部３５Ａがサブコネクタ３０の上面とほぼ面一状態となる本係止位置との２位置に保持可能とされている。ターミナルリテーナ３５には、各キャビティ３１に対応した係止突部３５Ｂが設けられ、本係止位置においては、係止突部３５Ｂが雌端子金具３２に係止してその抜け止めがなされ、仮係止位置においては、係止突部３５Ｂが退避して雌端子金具３２のキャビティ３１への挿抜が許容されるようになっている。
【００１６】
各サブコネクタ３０の下面の左右両側には、サブコネクタ３０ごとに異なる位置に、前後方向に延びる一対の検知リブ３６が設けられている。一方、ホルダ１１の下面壁１３における各サブコネクタ３０の検知リブ３６と対応した位置には、検知リブ３６を収容可能な大きさの検知溝２６がホルダ１１の前後方向に沿って形成されている。この検知リブ３６はホルダ１１に対するサブコネクタ３０の案内、ホルダ１１に対するサブコネクタ３０の誤組み付け（上下逆挿入）の阻止を行うとともに、ホルダ１１に対するサブコネクタ３０の押し込み不足の検知（後述する）の役目を果たすものである。なお、サブコネクタ３０が正規深さに挿入された際の検知リブ３６の後端位置は、装着凹部２１の前端位置と整合する位置になるようにされている。
【００１７】
各サブコネクタ３０は、ホルダ１１の収容室１８に対して後方から嵌入されつつ組み付けられる。この組み付け状態では、サブコネクタ３０の前端面はホルダ１１の前端面と面一状をなし、サブコネクタ３０の後端面はホルダ１１の下面壁１３及び仕切壁１７の後端面とほぼ面一状をなす。各サブコネクタ３０の下面の前端中央には、ホルダ１１の係止片１９と係合可能なロック突部３７が設けられ、組み付けられたサブコネクタ３０に対し、係止片１９と、装着凹部２１に装着されたハウジングリテーナ４０とが二重に係止することで抜け止め状態に保持されるようになっている。
【００１８】
ハウジングリテーナ４０は、合成樹脂よりなり、図３及び図６等に示すように、ホルダ１１の横幅とほぼ同じ幅寸法に形成された平板状の本体部４１と、この本体部４１の幅方向の両端から上方へ起立形成されたガイド壁４２とを備えて、全体としてコの字状をなしている。ハウジングリテーナ４０は、ホルダ１１を跨ぐようにして装着凹部２１に下方から装着され、ホルダ１１の側面壁１４に沿って上下に移動可能とされている。本体部４１の上面には、ホルダ１１の各検知溝２６と対応した位置に検知溝２６に対して進入可能な大きさの係止突起４１Ａが設けられるとともに、仕切壁１７と対応した位置には上向きに中間壁４１Ｂが設けられている。
【００１９】
ハウジングリテーナ４０の本体部４１が装着凹部２１に対して押し込まれると、本体部４１が連結板２２に当接して停止するが、この位置では本体部４１がホルダ１１に対し面一となる（収容位置、図７参照）。そこまでハウジングリテーナ４０が差し込まれると、本体部４１の係止突起４１Ａが検知溝２６を通じて収容室１８側に突出するととももに、検知リブ３６の後端に係止してサブコネクタ３０の後方への抜け止めを図るようになっている。また、ホルダ１１の仕切壁１７の下部には装着凹部２１側へ開口する嵌合溝１７Ａが設けられており、収容位置において、ハウジングリテーナ４０の中間壁４１Ｂは嵌合溝１７Ａ内に進入するとともに、両中間壁４１Ｂ間に中央のサブコネクタ３０を挟み込む設定となっている。これにより、ハウジングリテーナ４０の幅方向の触れを規制している。
【００２０】
また、ホルダ１１に対してサブコネクタ３０が正規深さまで挿入されていない場合には、サブコネクタ３０の検知リブ３６が装着凹部２１内に位置している。そのため、この状態のままハウジングリテーナ４０を装着凹部２１に対して押し込んでも、係止突起４１Ａが検知リブ３６と干渉するため、収容位置に至らない。この押し込みの規制によりホルダ１１に対するサブコネクタ３０の押し込み不足を検知することが可能である。
【００２１】
一方、ハウジングリテーナ４０は前述した収容位置から下方へ退避し、本体部４１がホルダ１１の外面から突出する突出位置（図８参照）へ変位可能とされている。具体的には、ホルダ１１の左右両側面壁１４の外面の中央下部、すなわち、装着凹部２１の側方にはガイド壁４２のの幅寸法とほぼ等しい幅寸法のガイド凹部１４Ａが形成されており（図８参照）、ハウジングリテーナ４０の上下動を案内するようになっている。このガイド凹部１４Ａの側面には突起１４Ｂが形成される一方、ガイド壁４２の内面側には突起１４Ｂに係止可能な抜止溝４２Ａが設けられている。ハウジングリテーナ４０が突出位置に至ると、突起１４Ｂとハウジングリテーナ４０の抜止溝４２Ａの端縁とが係止してホルダ１１に対してハウジングリテーナ４０を抜け止めする。また、この突出位置においては、係止突起４１Ａがホルダ１１の検知溝２６の下方に退避するため、ホルダ１１に対しサブコネクタ３０を干渉なく抜き差しすることができる。
【００２２】
ハウジングリテーナ４０における本体部４１の下面には、ホルダ１１の各ガイドリブ２３，２４と対応した位置に追加リブ４３，４４が前後方向に沿って段差状に突出して形成されている。そのうち幅方向内側の２本の追加リブ４３は、本体部４１の前端から後端にかけて設けられ、ハウジングリテーナ４０が前記収容位置に装着されたときに、その前後のガイドリブ２３とほぼ途切れなく一列に連なるような形態となる。また、幅方向外側の２本の追加リブ４４は、本体部４１の略後半部のみに設けられており、同じくハウジングリテーナ４０が収容位置に装着されたときには、後側のガイドリブ２４と途切れなく連なるとともに、前側のガイドリブ２４との間にはリブが途切れて凹み形状をなす。なお、幅方向外側のガイドリブ２４の前端部が第１こじり検知部２５とされ、追加リブ４４の前端部が第２こじり検知部４５とされており、ハウジングリテーナ４０が収容位置に装着されたときには、両こじり検知部２５，４５が嵌合方向（前後方向）に離間して配される。
【００２３】
レバー５０は、合成樹脂からなり、図５及び図１１に示すように、全体として水平な一枚板状をなしている。レバー５０は、やや細長い平板状のカム板部５１を備えており、その一端側寄り位置の下面に円形の軸受孔５２が凹設されている。この軸受孔５２には、ホルダ１１の収容凹部１６内における天井壁１５から上向きに突設された支持軸２７が嵌合され、レバー５０はこの支持軸２７を中心として水平方向に回動可能とされている。なお、レバー５０は、カム板部５１が上面壁１２及び天井壁１５の間に僅かなクリアランスを持って挟まれた状態で収容凹部１６に収容される。
【００２４】
このレバー５０は、図１１に示す初期位置から図１３に示す嵌合完了位置までの間を回動操作可能となっている。カム板部５１における軸受孔５２周りには、雄コネクタ６０のカムピン６４を係合可能なカム溝５３が形成されている。またホルダ１１の上面壁１２には、幅方向の中央に雄コネクタ６０のカムピン６４が進入可能なカムピン進入溝２８が支持軸２７の前側に形成されており、レバー５０が初期位置にあるときには、カム溝５３の開口がカムピン進入溝２８に整合して、カム溝５３へカムピン６４を受け入れ可能な体勢となる。
【００２５】
カム板部５１における軸受孔５２側の端縁部には、片持ち状の弾性係止片５４が側方に張り出して形成されている。また、ホルダ１１の上面壁１２には、カムピン進入溝２８を挟んで左右両側に、後述するロック解除リブ６５と嵌まり込み防止リブ６６とが進入可能なリブ進入溝２９Ａ，２９Ｂがそれぞれ前後方向に沿って形成されている。リブ進入溝２９Ａは、ホルダ１１の前面から後方側へ向けて形成され、その後端には同溝の下半分の領域に突出するロック用受け部２９Ｃが形成されている。レバー５０が初期位置にあるときには、弾性係止片５４の先端の一部がリブ進入溝２９Ａ内に進出してロック用受け部２９Ｃに係止することで、レバー５０の嵌合完了位置側への回動が規制された状態となる。
さらに、レバー５０には、カム板部５１の軸受孔５２とは反対側の端部に、レバー５０を回動操作するための操作部５５と、レバー５０を嵌合完了位置にロックするための弾性ロック片５６とが設けられている。
【００２６】
雄コネクタ６０は、図１及び図９に示すように、合成樹脂材料からなる雄ハウジング６１（本発明の「相手ハウジング」に相当）と、Ｌ字形の複数の雄端子金具６２とを備えて構成されている。雄ハウジング６１は、前方に開口する横長略角筒状のフード部６３を有し、このフード部６３内には雌コネクタ１０のホルダ１１がほぼ緊密に嵌入されるようになっている。また、フード部６３の奥端面からは雄端子金具６２の一端が突出しており、両コネクタ１０，６０が正規嵌合すると、雄端子金具６２と対応する雌端子金具３２とが電気的に接続されるようになっている。また、フード部６３における長手方向の内上面には、ほぼ中央に略円柱状のカムピン６４が下方に向かって突出して形成されている。さらに、同じくフード部６３の内上面には、正面から見て中央よりもやや左寄りにロック解除リブ６５が、右寄りに嵌まり込み防止リブ６６が共にフード部６３の前端から後方に延びて突設されている。なお、両リブ６５，６６は、フード部６３を長手方向について概ね３等分するような位置にあり、両リブ６５，６６の間隔は、ホルダ１１の前後の長さ寸法よりやや小さい程度に設定されている。ロック解除リブ６５は、雌コネクタ１０との嵌合時にはリブ進入溝２９Ａ内の上半分の領域に進入する。
【００２７】
また、フード部６３の下面には、各ガイドリブ２３，２４に凹凸係合可能な受け溝６７Ａ，６７Ｂが前後方向に沿って形成され、これらにより、両コネクタ１０，６０の嵌合動作が案内されるようになっている。また、幅方向内側の２本の受け溝６７Ａは、ガイドリブ２３の形状に対応したアリ溝状とされ、ガイドリブ２３と係合することで、両コネクタ１０，６０の嵌合状態において、フード部６３の下壁の中央部が下方に膨れるように変形するのが防止されている。
【００２８】
組み付けに際しては、まず各サブコネクタ３０に対し、ターミナルリテーナ３５を仮係止位置に組み付けたのち、各キャビティ３１に雌端子金具３２を挿入する。雌端子金具３２が正規の深さ位置まで挿入されると、雌端子金具３２に対してランス３３が係合する。そこで、ターミナルリテーナ３５を本係止位置（図５参照）に押し込むと、係止突部３５Ｂが雌端子金具３２に係合して、雌端子金具３２が二重に抜け止めされた状態となる。このとき、一部の雌端子金具３２が正規の深さ位置まで至らない半挿入状態となっていた場合には、係止突部３５Ｂが雌端子金具３２の上面に当接して、ターミナルリテーナ３５が本係止位置まで至らずに、上端部３５Ａがサブコネクタ３０の上面から若干寸法突出した状態となる。
【００２９】
続いて、ホルダ１１の収容凹部１６にレバー５０のカム板部５１を差し込み、支持軸２７を軸受孔５２に嵌合させる。そして、ホルダ１１の装着凹部２１に対しハウジングリテーナ４０を嵌め込み、突出位置（図８参照）に仮組みする。この状態から、各サブコネクタ３０を対応する収容室１８に対し後方から嵌入させていく。ここで、ターミナルリテーナ３５が正しく本係止位置に装着されていた場合には、サブコネクタ３０は収容室１８の奥側へ円滑に押し込まれる。これに対し、前述のように、雌端子金具３２の一部が半挿入状態のためにターミナルリテーナ３５が本係止位置に装着されていなかった場合には、図１０に示すように、ターミナルリテーナ３５の上端部３５Ａ前端が天井壁１５の後端に突き当たって、サブコネクタ３０の嵌合が規制される。ここで、ホルダ１１とサブコネクタ３０との間にはある程度の範囲内で寸法公差が想定されるが、仮に規制突起２０が設けられていないとした場合には、ホルダ１１側の寸法がサブコネクタ３０に対して大きいと、ターミナルリテーナ３５の上端部３５Ａが天井壁１５の後端を越えて、雌端子金具３２が半挿入状態のままサブコネクタ３０が収容室１８へ押し込まれてしまうことがあり得るが、本実施形態のように天井壁１５に規制突起２０を設けることにより、ホルダ１１側の寸法がサブコネクタ３０に対して大きい場合でも、ターミナルリテーナ３５の上端部３５Ａが天井壁１５の後端を越えた場合にも、規制突起２０の高さ寸法の範囲内であれば規制突起２０の後端面に突き当たることになり、サブコネクタ３０の嵌合が確実に規制される。そのため、作業者は、サブコネクタ３０の嵌合が途中で規制されたことをもって、ターミナルリテーナ３５が正しく装着されていない、即ち雌端子金具３２が半挿入状態であることを検知することができる。
【００３０】
サブコネクタ３０が正規の深さ位置まで嵌合されると、検知リブ３６がハウジングリテーナ４０の本体部４１を通過して本体部４１よりも前方に位置するとともに、ホルダ１１の係止片１９がサブコネクタ３０のロック突部３７に弾性的に係止して、サブコネクタ３０を抜止めする。こうして全てのサブコネクタ３０の装着を終了させる。続いて、ハウジングリテーナ４０を装着凹部２１へ押し込むと、本体部４１の中間壁４１Ｂが仕切壁１７の嵌合溝１７Ａ内に、本体部４１の係止突起４１Ａが検知溝２６内にそれぞれ進入してゆき、ハウジングリテーナ４０全体が装着凹部２１及びガイド凹部１４Ａ内に収容され、ホルダ１１と面一となる（収容位置）。この状態では、本体部４１の係止突起４１Ａが検知溝２６を通じて収容室１８側に突出し、検知リブ３６の後端面に対して後方から係止する。この係止と前記した係止片１９による係止により、サブコネクタ３０は二重に抜止めされる（図１参照）。以上により、雌コネクタ１０の組み付けが完了する。
【００３１】
雌雄両コネクタ１０，６０の組み付けに際しては、まず、レバー５０をホルダ１１に対し初期位置に係止させておき、図１及び図１１に示すように、雌コネクタ１０を雄コネクタ６０に対し正対させ、各ガイドリブ２３，２４を対応する受け溝６７Ａ，６７Ｂに係合させつつ、雌コネクタ１０のホルダ１１を雄コネクタ６０のフード部６３内に浅く嵌入させる。
【００３２】
ホルダ１１がフード部６３内に浅く嵌入されると、図１２に示すように、カムピン６４がカム溝５３の開口に嵌入されるとともに、ロック解除リブ６５が、弾性係止片５４の先端に当接してこれをロック用受け部２９Ｃとの係止を解除させるように撓み変形させ、これによりレバー５０の回動操作が許容された状態となる。
【００３３】
この状態からレバー５０の操作部５５を押圧してレバー５０を嵌合完了位置側へ回動させると、カムピン６４とカム溝５３との係合によるカム作用により両コネクタ１０，６０が互いに引き寄せられ、フード部６３に対するホルダ１１の嵌入が進む。そして、レバー５０が嵌合完了位置に至るとともに、弾性ロック片５６が雄ハウジング６１に係止してレバー５０がロックされた状態となる。これにより、図１３，１４に示すように、両コネクタ１０，６０が正規の嵌合状態に至り、組み付けが完了する。
【００３４】
次に、雌雄両コネクタ１０，６０が上記の組み付け過程で、こじり状態で嵌合された場合、ここでは例えば雌コネクタ１０が嵌合面（前面）を斜め上向きにした姿勢でフード部６３へ押し付けられた場合について説明する。雌コネクタ１０の上方向への傾き（ここではこじり角度という）が比較的小さい場合には、雌雄両コネクタ１０，６０を接近させていくと、ガイドリブ２４の前端である第１こじり検知部２５がフード部６３の開口縁部６３Ａに引っ掛かり、嵌合が規制される。作業はこの引っ掛かり感を得ることで、両コネクタ１０，６０がこじり嵌合状態にあることを知ることができる。また、雌コネクタ１０のこじり角度がこれよりも少し大きかった場合、即ち、フード部６３の開口縁部６３Ａが第１こじり検知部２５を越えるような角度で両コネクタ１０，６０が接近した場合には、まずフード部６３の開口縁部６３Ａがガイドリブ２４の下面に当接する。そして、さらに両コネクタ１０，６０が接近方向に押し付けられると、雌コネクタ１０が上方向に角度を変えながらフード部６３の開口縁部６３Ａがガイドリブ２４の下面を後方へ摺接しつつ移動し、やがて図１５に示すように、フード部６３の開口縁部６３Ａがガイドリブ２４の前側部分を超えて、追加リブ４４の前端、即ち第２こじり検知部４５に引っ掛かり、これにより、両コネクタ１０，６０の嵌合・摺接動作が規制される。従って、作業者は、その引っ掛かり感をもって両コネクタ１０，６０がこじり嵌合状態であることを知ることができる。なお、図１５で示した雌コネクタ１０の角度は一例であって、上記のことは、雌コネクタ１０が上記とは異なる角度、即ち、例えば図１５の姿勢から左右方向へ傾いた姿勢であったり、嵌合軸回りに傾いた姿勢で嵌合されたような場合であっても、フード部６３の開口縁部６３Ａがいずれかのこじり検知部２５，４５に引っ掛かる範囲内であれば同様にこじり状態の検知ができる。なお、フード部６３の開口縁部６３Ａが第１、第２のこじり検知部２５，４５のいずれの側に引っ掛かった状態でも、フード部６３内に入り込んだ雌コネクタ１０の一部が雄端子金具６２が当接することはないように設定されている。
【００３５】
以上のように本実施形態によれば、雌コネクタ１０のホルダ１１が相手ハウジング６１に対しこじり状態で嵌合された際に、フード部６３の開口縁部６３Ａが前側のこじり検知部２５よりも奥側の部分に当接するような角度であった場合には、フード部６３の開口縁部６３Ａが後側のこじり検知部４５に引っ掛かる。そのため、作業者は、確実に引っ掛かり感を得ることができ、両コネクタ１０，６０がこじり嵌合状態であることを早期に検知することができる。
また、ハウジングリテーナ４０の外面にこじり検知部４５を設けることで、分割タイプのコネクタ１０においても、両コネクタ１０，６０がこじり嵌合状態であることを確実に検知できる。
【００３６】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では、リブ２４，４４を間欠的に設けることで２つのこじり検知部２５，４５を設けたが、本発明によれば、こじり検知部の形状、位置、個数等は適宜変更できる。例えば図１６に示したものでは、雌ハウジング７０の外周面に階段状のリブ７１を設けてあり、そのリブ７１における各段の前面が、相手の雄ハウジング７２におけるフード部７３の開口縁部に引っ掛かり可能なこじり検知部７４となっている。また、こじり検知部は、例えばハウジングの上下両面に設けたり、側面に設けても良い。
（２）上記実施形態では、相手側のフード部に嵌合されるハウジングが、レバー付き分割コネクタのホルダであるものを例示したが、本発明は、レバー式や分割コネクタでない他の種類のコネクタにも適用することができる。
【図面の簡単な説明】
【図１】本実施形態における雌コネクタと雄コネクタの嵌合前の状態を示す側断面図
【図２】ホルダ及びハウジングリテーナの正面図
【図３】ホルダ及びハウジングリテーナの背面図
【図４】ホルダの底面図
【図５】ホルダ、ハウジングリテーナ及びサブコネクタの組み付け前の状態を示す側断面図
【図６】ハウジングリテーナの底面図
【図７】ハウジングリテーナを収容位置に組み付けた状態を示す正断面図
【図８】ハウジングリテーナを突出位置に組み付けた状態を示す正断面図
【図９】雄コネクタの正面図
【図１０】規制突起によってサブコネクタの嵌合が規制された状態を示す側断面図
【図１１】雌コネクタと雄コネクタの嵌合前の状態をあらわす水平断面図
【図１２】雌コネクタと雄コネクタの嵌合初期の状態をあらわす水平断面図
【図１３】雌コネクタと雄コネクタの嵌合が完了した状態をあらわす水平断面図
【図１４】雌コネクタと雄コネクタの嵌合が完了した状態をあらわす側断面図
【図１５】フード部の開口縁部がこじり検知部に引っ掛かった状態を示す側断面図
【図１６】他の実施形態においてフード部の開口縁部がこじり検知部に引っ掛かった状態を示す側断面図
【図１７】（Ａ）（Ｂ）従来のコネクタにおいて雌雄ハウジングがこじり嵌合された状態を示す側断面図
【図１８】（Ａ）〜（Ｃ）従来のコネクタにおいて雌雄ハウジングが異なる角度でこじり嵌合される過程を示す側断面図
【符号の説明】
１０…雌コネクタ（コネクタ）
１１…ホルダ（ハウジング）
１８…収容室
２５…第１こじり検知部
３０…サブコネクタハウジング
４０…ハウジングリテーナ
４５…第２こじり検知部
５０…レバー
６０…雄コネクタ
６１…ハウジング（相手ハウジング）
６３…フード部
６３Ａ…フード部の開口縁部
【図１】
2005026078.tif 000003
【図２】
2005026078.tif 000004
【図３】
2005026078.tif 000005
【図４】
2005026078.tif 000006
【図５】
2005026078.tif 000007
【図６】
2005026078.tif 000008
【図７】
2005026078.tif 000009
【図８】
2005026078.tif 000010
【図９】
2005026078.tif 000011
【図１０】
2005026078.tif 000012
【図１１】
2005026078.tif 000013
【図１２】
2005026078.tif 000014
【図１３】
2005026078.tif 000015
【図１４】
2005026078.tif 000016
【図１５】
2005026078.tif 000017
【図１６】
2005026078.tif 000018
【図１７】
2005026078.tif 000019
【図１８】
2005026078.tif 000020